(57)【特許請求の範囲】
【請求項１】
非接触型ＩＣカード通信を行う通信手段と、
前記通信手段が前記非接触型ＩＣカード通信を行っているとき、ユーザにその旨を振動で報知する振動報知手段と、
前記振動報知手段の振動時間を所定の振動時間に制御する制御手段と、
前記通信手段が前記非接触型ＩＣカード通信を行っているとき、ユーザにその旨を光で報知する発光報知手段と、
前記発光報知手段を、前記振動報知手段の前記所定の振動時間より長い所定の発光時間で発光させるよう制御する発光制御手段と、を備え、
前記発光制御手段は、前記振動報知手段による振動での報知と同時に光での報知を開始するように前記発光報知手段を制御するとともに、前記振動報知手段による振動停止後の所定時間、光での報知を継続するよう前記発光報知手段を制御する
携帯端末装置。
【請求項２】
請求の範囲第１項に記載の携帯端末装置において、
前記発光制御手段は、光の点滅又は点灯による報知を行うように前記発光報知手段を制御する携帯端末装置。
【請求項３】
請求の範囲第２項に記載の携帯端末装置において、
前記制御手段は、前記振動報知手段を、所定の振動時間、振動動作させ、かつ、所定の振動停止時間、振動を停止させて間欠動作させ、
前記所定の振動時間は、前記ユーザが振動を認識可能な時間である携帯端末装置。
【請求項４】
請求の範囲第２項または第３項に記載の携帯端末装置において、
前記所定の振動停止時間は、前記振動動作を終了した後、次の振動動作を前記ユーザが認識可能な時間とする携帯端末装置。
【請求項５】
請求の範囲第２項乃至第４項いずれかに記載の携帯端末装置において、
前記振動報知手段の前記振動動作は、少なくとも１回である携帯端末装置。
【請求項６】
請求の範囲第１項乃至第６項いずれかに記載の携帯端末装置において、
前記通信手段は、ＩＣカードリーダ／ライタと非接触型ＩＣカード通信を行う携帯端末装置。
【請求項７】
携帯端末装置が非接触型ＩＣカード通信を行っているとき、ユーザにその旨を振動で報知する振動報知部と、ユーザにその旨を光で報知する発光報知部と、を有する携帯端末装置の前記振動報知部及び前記発光報知部を制御する制御方法であって、
前記振動報知部の振動時間が所定の振動時間に制御されているとき、前記発光報知部を前記所定の振動時間より長い所定の発光時間で発光させるように制御し、
前記振動報知部による振動での報知と同時に光での報知を開始するように前記発光報知部を制御するとともに、前記振動報知部による振動停止の所定時間、光での報知を継続するように制御する
携帯端末装置の制御方法。
【発明の詳細な説明】
【技術分野】
【０００１】
本発明は、携帯端末装置およびその制御方法に関し、特に、非接触型ＩＣカード通信機能を備えた携帯端末装置およびその制御方法に関する。
【背景技術】
【０００２】
携帯端末装置に内蔵された非接触型ＩＣカードの利用時に、通信処理が行われていることをユーザに報知する手段の１つとして、発光手段（ＬＥＤ）や振動手段（バイブレータ）を用いる技術が特許文献１、２、および４に記載されている。また、一方で携帯端末装置において各種情報をバイブレータの振動パターンによって表現する技術が特許文献３に記載されている。
【０００３】
また、無線電話機のバイブレーション制御方法として、特許文献５には、バイブレータの振動により発生した騒音を検出して、バイブレータの振動の強度を弱めることにより、机の上に置いた無線電話機が騒音を発生したり、振動により移動して机の上から落下するのを防ぐことが記載されている。さらに、特許文献６に記載された移動体端末装置は、外部リーダライタからの電磁波を適切に受信し、その受信感度に応じてその内容をユーザに報知する。
【先行技術文献】
【特許文献】
【０００４】
【特許文献１】特開２００１−２７４８７４号公報
【特許文献２】特開２００３−３０３３６０号公報
【特許文献３】特開２００６−１５７６４２号公報
【特許文献４】特開２００３−６０７４８号公報
【特許文献５】特開２００４−１２９１２０号公報
【特許文献６】特開２００７−７４１０２号公報
【発明の概要】
【発明が解決しようとする課題】
【０００５】
しかしながら、上記文献記載の従来技術は、非接触型ＩＣカードを含む携帯端末装置において、たとえば、外部のＩＣカードリーダ／ライタに置いた状態で、非接触型ＩＣカードを利用した時に、通信状態を報知するための振動によって、携帯端末装置が移動してしまい通信可能範囲から外れて通信障害を引き起こす可能性がある点で改善の余地を有していた。
本発明の目的は、上述した課題である非接触型ＩＣカード通信時の通信障害を軽減する信頼性の高い携帯端末装置およびその制御方法を提供することにある。
【課題を解決するための手段】
【０００６】
本発明の携帯端末装置は、非接触型ＩＣカード通信を行う通信手段と、通信手段が非接触型ＩＣカード通信を行っているとき、ユーザにその旨を振動で報知する振動報知手段と、振動報知手段の振動時間を所定の振動時間に制御する制御手段と、通信手段が非接触型ＩＣカード通信を行っているとき、ユーザにその旨を光で報知する発光報知手段と、発光報知手段を、振動報知手段の所定の振動時間より長い所定の発光時間で発光させるよう制御する発光制御手段と、を備え、発光制御手段は、振動報知手段による振動での報知と同時に光での報知を開始するように発光報知手段を制御するとともに、振動報知手段による振動停止後の所定時間、光での報知を継続するよう発光報知手段を制御する。
【０００７】
本発明の携帯端末装置の制御方法は、携帯端末装置が非接触型ＩＣカード通信を行っているとき、ユーザにその旨を振動で報知する振動報知部と、ユーザにその旨を光で報知する発光報知部と、を有する携帯端末装置の振動報知部及び発光報知部を制御する制御方法であって、振動報知部の振動時間が所定の振動時間に制御されているとき、発光報知部を所定の振動時間より長い所定の発光時間で発光させるように制御し、振動報知部による振動での報知と同時に光での報知を開始するように発光報知部を制御するとともに、振動報知部による振動停止の所定時間、光での報知を継続するように制御する。
【０００８】
なお、以上の構成要素の任意の組合せ、本発明の表現を方法、装置、システム、記録媒体、コンピュータプログラムなどの間で変換したものもまた、本発明の態様として有効である。
【０００９】
また、本発明の各種の構成要素は、必ずしも個々に独立した存在である必要はなく、複数の構成要素が一個の部材として形成されていること、一つの構成要素が複数の部材で形成されていること、ある構成要素が他の構成要素の一部であること、ある構成要素の一部と他の構成要素の一部とが重複していること、等でもよい。
【００１０】
また、本発明の制御方法には複数の手順を順番に記載してあるが、その記載の順番は複数の手順を実行する順番を限定するものではない。このため、本発明の制御方法を実施するときには、その複数の手順の順番は内容的に支障しない範囲で変更することができる。
【００１１】
さらに、本発明の制御方法の複数の手順は個々に相違するタイミングで実行されることに限定されない。このため、ある手順の実行中に他の手順が発生すること、ある手順の実行タイミングと他の手順の実行タイミングとの一部ないし全部が重複していること、等でもよい。
【発明の効果】
【００１２】
本発明によれば、非接触型ＩＣカード通信時の通信障害を軽減する信頼性の高い携帯端末装置およびその制御方法が提供される。
【図面の簡単な説明】
【００１３】
上述した目的、およびその他の目的、特徴および利点は、以下に述べる好適な実施の形態、およびそれに付随する以下の図面によってさらに明らかになる。
【００１４】
【図１】本発明の実施の形態に係る携帯電話機の構成を示すブロック図である。
【図２】図１の携帯電話機の非接触型ＩＣカード通信部の動作の一例を示すフローチャートである。
【図３】図１の携帯電話機におけるＩＣカード機能利用時の端末制御部の動作の一例を示すフローチャートである。
【図４】図１の携帯電話機におけるＩＣカード機能利用以外の時の端末制御部の動作の一例を示すフローチャートである。
【図５】図１の携帯電話機の非接触型ＩＣカード通信部の動作の一例を示すフローチャートである。
【図６】図１の携帯電話機におけるＩＣカード振動報知制御時の動作の一例を示すフローチャートである。
【図７】図１の携帯電話機のＩＣカード振動報知制御部およびＩＣカード発光報知制御部の動作を説明するための図である。
【図８】携帯電話機のＩＣカードリーダ／ライタ上での動作を説明するための図である。
【発明を実施するための形態】
【００１５】
以下、本発明の実施の形態について、図面を用いて説明する。尚、すべての図面において、同様な構成要素には同様の符号を付し、適宜説明を省略する。
【００１６】
図１は、本発明の実施の形態に係る携帯端末装置（携帯電話機１０）の構成を示すブロック図である。
本発明の実施の形態に係る携帯端末装置（携帯電話機１０）は、非接触型ＩＣカード通信を行う非接触型ＩＣカード通信部３０と、非接触型ＩＣカード通信部３０が非接触型ＩＣカード通信を行っているとき、ユーザにその旨を振動で報知する振動報知部２２と、振動報知部２２の振動が非接触型ＩＣカード通信部３０の通信状態に影響を及ぼさないように振動報知部２２の振動を抑制する制御を行うＩＣカード振動報知制御部４４と、を備える。
【００１７】
本発明の携帯端末装置は、たとえば、携帯電話機、ＰＨＳ（ＰｅｒｓｏｎａｌＨａｎｄｙｐｈｏｎｅＳｙｓｔｅｍ）、およびＰＤＡ（ＰｅｒｓｏｎａｌＤｉｇｉｔａｌＡｓｓｉｓｔａｎｔｓ）などである。本実施形態では、以下、携帯電話機１０を例として説明する。なお、図１において、本発明の本質に関わらない部分の構成については省略してある。
【００１８】
また、携帯電話機１０の各構成要素は、任意のコンピュータのＣＰＵ、メモリ、メモリにロードされた本図の構成要素を実現するプログラム、そのプログラムを格納するハードディスクなどの記憶ユニット、ネットワーク接続用インタフェースを中心にハードウエアとソフトウエアの任意の組合せによって実現される。そして、その実現方法、装置にはいろいろな変形例があることは、当業者には理解されるところである。以下説明する各図は、ハードウエア単位の構成ではなく、機能単位のブロックを示している。
【００１９】
詳細には、携帯電話機１０は、操作部１２と、表示部１４と、記憶部１６と、音声入出力部１８と、発光報知部２０と、振動報知部２２と、非接触型ＩＣカード通信部３０と、端末制御部４０と、移動通信制御部５０と、を備えている。
【００２０】
操作部１２は、操作キーなどの入力装置であり、ユーザが電話番号などを入力するためのテンキー（ダイヤルキー）を備える。操作部１２は、ユーザの入力操作を受け付け、端末制御部４０に通知する。表示部１４は、白黒あるいはカラーの液晶パネルなどの表示装置であり、携帯電話機１０の各種の状態をユーザに報知する。記憶部１６は、携帯電話機１０の制御プログラムを含む制御情報や、ユーザにて入力、あるいは外部から受信した情報を保存する記憶装置を備える。音声入出力部１８は、マイク、スピーカなどの音声入出力装置である。発光報知部２０は、ランプ、ＬＥＤなどで点灯にて状態をユーザに通知する発光報知装置である。振動報知部２２は、バイブレータなどの振動にて状態をユーザに報知する振動報知装置である。
【００２１】
非接触型ＩＣカード通信部３０は、アンテナ３４を介して他の端末装置（不図示）やＩＣカードリーダ／ライタ（不図示）と無線通信を行う無線装置３２を含む。非接触型ＩＣカード通信部３０は、携帯電話機１０が備えている図示されないＩＣカードの通信部にあたる。ＩＣカードは、ＩＣカード機能を実現するために非接触型ＩＣカード通信部３０にて通信を行う。非接触型ＩＣカード通信部３０は、このＩＣカードの動作を制御する制御プログラムやデータを格納するメモリと、無線装置３２を介して外部のＩＣカードリーダ／ライタとの間で無線通信を行うためのリーダ／ライタ機能およびＩＣカード部全体の制御を行う制御部と、を含む。
【００２２】
本実施形態において、非接触型ＩＣカード通信部３０は、無線装置３２を介して外部の非接触型ＩＣカードリーダ／ライタと通信可能範囲であるかを検出する。非接触型ＩＣカード通信部３０は、通信圏内であることを検出した場合、端末制御部４０に通知する。そして、非接触型ＩＣカード通信部３０は、無線装置３２を介してＩＣカードリーダ／ライタとＩＣカード利用通信を実施し、その通信結果を端末制御部４０へ通知する。
【００２３】
あるいは、非接触型ＩＣカード通信部３０は、端末制御部４０からたとえば他の端末とＩＣカード利用通信の通信要求を受け取ると、通信要求に呼応して、端末制御部４０へ通信状態に入ることを通知するとともに、他の端末装置と無線装置３２を介してＩＣカード利用通信を実施し、その通信結果を端末制御部４０へ通知する。
【００２４】
端末制御部４０は、携帯電話機１０の各要素に接続され、各要素とともに装置全体を制御し、携帯電話機としての動作を実現する。端末制御部４０は、ＩＣカード発光報知制御部４２と、ＩＣカード振動報知制御部４４と、を含む。ＩＣカード発光報知制御部４２およびＩＣカード振動報知制御部４４は、ＩＣカード通信状況、通信結果について端末制御部４０で整理された情報に基づき、発光報知部２０および振動報知部２２へそれぞれ制御指示を行い、ユーザへの報知を行うものである。
【００２５】
詳細には、端末制御部４０は、非接触型ＩＣカードがＩＣカードリーダ／ライタの通信圏内にあることを示す圏内通知、他の端末と通信状態に入ることを示す通信状態、あるいは、ＩＣカード利用通信の結果通知を非接触型ＩＣカード通信部３０から受信する。端末制御部４０は、これらの通知を検出したとき、ＩＣカード振動報知制御部４４およびＩＣカード発光報知制御部４２に、ユーザへの報知を指示制御する。
【００２６】
あるいは、端末制御部４０は、記憶部１６の任意の情報を、他の端末装置と非接触型ＩＣカード通信部３０を使用して情報交換することの指示をユーザの操作部１２の操作により通信要求として受け付け、その通信要求を非接触型ＩＣカード通信部３０に通知する。
【００２７】
ＩＣカード振動報知制御部４４は、たとえば、非接触型ＩＣカードがＩＣカードリーダ／ライタと通信圏内にあること、他の端末装置と通信状態にあること、ＩＣカード利用通信が終了したこと、などをユーザに報知するために振動報知部２２に以下のようにＩＣカード利用通信の通信状態に影響を及ぼさないように抑制された振動制御指示を行う。
【００２８】
すなわち、ＩＣカード振動報知制御部４４は、振動報知部２２を、所定の振動時間（後述する図７のＶＴＭ１またはＶＴＭ２）、振動動作させ、かつ、所定の振動停止時間（ＶＩＴＭ１）、振動を停止させて間欠動作させる（後述する図６のＳ５７〜Ｓ６９）。
【００２９】
ここで、所定の振動時間（ＶＴＭ１またはＶＴＭ２）は、ユーザが振動を認識可能な時間を確保するとともに、携帯電話機１０への振動影響のない時間設定を行う。すなわち、ＶＴＭ１は、非接触型ＩＣカード通信部３０の通信状態に影響を及ぼさない程度で、通信エラー率を所望の閾値以下にするように設定するのが好ましい。
【００３０】
ここで、また、所定の振動停止時間（ＶＩＴＭ１）は、振動動作を終了した後、次の振動動作をユーザが認識可能な時間とする。所定の振動時間は、間欠動作ごとに異なってもよいし、同じであってもよいが、本実施形態の間欠動作では、１回目の振動の振動時間はＶＴＭ１とし、２回目の振動の振動時間はＶＴＭ２とする。
【００３１】
本実施形態において、ＩＣカード振動報知制御部４４は、振動報知部２２の振動動作を少なくとも１回行わせる（後述する図６のＳ５１〜Ｓ５５）。あるいは、ＩＣカード振動報知制御部４４は、振動報知部２２の複数の振動動作を間欠動作で繰り返して行わせてもよい（後述する図６のＳ５７〜Ｓ６９）。
【００３２】
また、本実施形態において、発光報知部２０は、非接触型ＩＣカード通信部３０が非接触型ＩＣカード通信を行っているとき、ユーザにその旨を光で報知する。このとき、ＩＣカード発光報知制御部４２は、発光報知部２０を、振動報知部２２の所定の振動時間より長い所定の発光時間で発光させるよう制御する。
【００３３】
なお、本実施形態において、端末制御部４０は、上述の振動時間、振動間隔時間、および発光時間などを計数して監視する監視タイマ（不図示）を含むことができる。
これらの設定時間は、携帯電話装置１００のメモリ（不図示）に予め記憶されているものとする。携帯電話装置１００のファームウェアのバージョンアップ時や、ユーザが任意に設定を変更できる構成とすることもできる。
【００３４】
移動通信制御部５０は、アンテナ５４を介して移動通信網に接続して通信を行う無線装置５２を含み、無線制御および無線状態の通知を端末制御部４０との間で情報交換を行う。
【００３５】
このように構成された本実施形態の携帯電話機１０の動作について、以下に説明する。
はじめに、本実施形態の携帯電話機１０の非接触型ＩＣカード機能利用時の動作について、説明する。図２は、本実施形態の携帯電話機１０の非接触型ＩＣカード通信部３０の動作の一例を示すフローチャートである。図３は、本実施形態の携帯電話機１０におけるＩＣカード機能利用時の端末制御部４０の動作の一例を示すフローチャートである。以下、図１乃至図３を用いて説明する。
【００３６】
図１の携帯電話機１０を非接触型ＩＣカードリーダ／ライタにかざした際に、非接触型ＩＣカード通信部３０は、無線装置３２を介して非接触型ＩＣカードリーダ／ライタと通信可能範囲であることを検出する（図２のＳ１１）。そして、非接触型ＩＣカード通信部３０が通信圏内であることを検出した場合（図２のＳ１１のＹｅｓ）、非接触型ＩＣカード通信部３０は、通信圏内にいることを端末制御部４０に通知する（図２のＳ１３）。
【００３７】
図３に進み、このとき、非接触型ＩＣカード通信部３０から圏内通知を受信した端末制御部４０は、通信圏内であることを検出し（図３のＳ２１のＹｅｓ）、ユーザに非接触型ＩＣカード通信圏内であることを報知するために、ＩＣカード発光報知制御部４２およびＩＣカード振動報知制御部４４へ発光報知制御および振動報知制御をそれぞれ指示する（図３のＳ２３およびＳ２７）。指示を受けたＩＣカード発光報知制御部４２およびＩＣカード振動報知制御部４４は、それぞれ振動報知部２２および発光報知部２０に対して振動報知制御および発光報知制御を実施する（図３のＳ２５およびＳ２９）。
【００３８】
図２の戻り、この間、非接触型ＩＣカード通信部３０はＩＣカード利用通信を実施し（図２のＳ１５）、ＩＣカード利用通信の結果を端末制御部４０へ通知する（図２のＳ１７）。
【００３９】
図３に進み、非接触型ＩＣカード通信部３０から結果通知を受信した端末制御部４０は、結果通知であることを検出し（図３のＳ２１のＹｅｓ）、以下、結果をユーザへ報知する処理を行う。この処理については上述した図３のステップＳ２３〜Ｓ２９の端末制御部４０におけるＩＣカード通信圏内検出時の処理と同様のため詳細説明は省略する。
【００４０】
次に、本実施形態の携帯電話機１０における非接触型ＩＣカード機能利用以外で、たとえば、非接触型ＩＣカード通信部３０が他の携帯端末装置と通信を行う場合の動作の一例について説明する。例として、ユーザが操作部１２にて端末操作を行い、端末情報が記憶されている記憶部１６の任意の情報を他の携帯端末装置と交換するシーンが該当する。
【００４１】
図４は、本実施形態の携帯電話機１０のおけるＩＣカード機能利用以外の時の端末制御部４０の動作の一例を示すフローチャートである。図５は、本実施形態の携帯電話機１０の非接触型ＩＣカード通信部３０の動作の一例を示すフローチャートである。以下、図１および図３〜図５を用いて説明する。
【００４２】
たとえば、ユーザが操作部１２を介して記憶部１６の任意の情報を、非接触型ＩＣカード通信部３０を使用して情報交換するように指示すると、ＩＣカード利用通信が端末制御部４０に要求される。端末制御部４０は、ＩＣカード通信要求があることを検出する（図４のＳ３１）。ＩＣカード通信要求を検出したとき（図４のＳ３１のＹｅｓ）、端末制御部４０は、非接触型ＩＣカード通信部３０へ通信要求を行う（図４のＳ３３）。
【００４３】
図５に進み、非接触型ＩＣカード通信部３０が通信要求を検出した場合（図５のＳ４１のＹｅｓ）、非接触型ＩＣカード通信部３０は、通信を開始するため、通信状態に入ることを端末制御部４０へ通知する（図５のＳ４３）。
【００４４】
図３に戻り、非接触型ＩＣカード通信部３０からの通知を受けて、端末制御部４０は通信状態を検出し（図３のＳ２１のＹｅｓ）、ユーザへ通信状態であることを報知するために、本発明であるＩＣカード発光報知制御部４２およびＩＣカード振動報知制御部４４へ報知制御を指示する（図３のＳ２３およびＳ２７）。指示を受けたＩＣカード発光報知制御部４２およびＩＣカード振動報知制御部４４は、それぞれ振動報知部２２および発光報知部２０へ振動報知制御および発光報知制御を実施する（図３のＳ２５およびＳ２９）。
【００４５】
図５に戻り、この間、非接触型ＩＣカード通信部３０はＩＣカード利用通信を実施し（図５のＳ４５）、ＩＣカード利用通信の結果を端末制御部４０へ通知する（図５のＳ４７）。
【００４６】
図３に進み、非接触型ＩＣカード通信部３０から結果通知を受信した端末制御部４０は、結果通知であることを検出し（図３のＳ２１のＹｅｓ）、結果をユーザへ報知する処理を行う。この処理については上述した図３のステップＳ２３〜Ｓ２９の端末制御部４０におけるＩＣカード通信圏内検出時の処理と同様のため詳細説明は省略する。
【００４７】
次に、本実施形態の携帯電話機１０におけるＩＣカード振動報知制御時の動作について説明する。図６は、本実施形態の携帯電話機１０におけるＩＣカード振動報知制御時の動作の一例を示すフローチャートである。図７は、本実施形態の携帯電話機１０のＩＣカード発光報知制御部４２およびＩＣカード振動報知制御部４４の動作を説明するための図である。以下、図１、図６および図７を用いて説明する。
【００４８】
上記特許文献記載の技術では振動制御および発光制御にて様々な状態をユーザに認識させることが目的であったため、動作制御も多様になっていた。本発明では以下に説明するように、特に振動報知部２２に振動を抑制する制約を設けている。すなわち、本発明の実施形態の携帯電話機１０の振動報知部２２の制御方法は、携帯電話機１０が非接触型ＩＣカード通信を行っているとき、ユーザにその旨を振動で報知する振動報知部２２を有する携帯電話機１０の振動報知部２２を制御する制御方法であって、振動報知部２２の振動が携帯電話機１０の通信状態に影響を及ぼさないように振動報知部２２の振動を抑制する制
御を行う。
【００４９】
具体的には、非接触型ＩＣカード通信部３０の動作状態を振動にて通知する方法として、所定時間での振動制御（図６のＳ５１〜Ｓ５５）と、この所定時間の振動制御をある所定時間間隔で再度振動制御を行う間欠動作制御（図６のＳ５７〜Ｓ６９）と、にてＩＣカード動作状態を通知する方法がある。本実施形態では、たとえば、非接触型ＩＣカード通信部３０がＩＣカードリーダ／ライタと無線通信を行い、ＩＣカード振動報知制御部４４が、非接触型ＩＣカード通信部３０が通信圏内通知、結果通知、通信状態を端末制御部４０に通知したときの振動制御の例（図３のフロー）として、図６のＳ５１〜Ｓ５５に示される１回の振動動作の制御を行う場合について説明する。また、非接触型ＩＣカード通信部３０が他の端末装置と無線通信を行い、ＩＣカード振動報知制御部４４が、非接触型ＩＣカード通信部３０が他の端末とのＩＣカード通信要求を通知したときの振動制御の例（図４のフロー）として、図６のＳ５７〜Ｓ６９に示される振動動作２回の間欠動作の制御を行う場合について説明する。
【００５０】
なお、本実施形態では、ＩＣカードリーダ／ライタとのＩＣカード利用通信時、振動報知部２２による報知制御を振動動作１回により行い、一方、他の端末装置とのＩＣカード利用通信時、振動動作２回の間欠動作により行う場合について説明したが、これに限定されるものではない。ＩＣカードリーダ／ライタの場合も、他の端末装置の場合も、動作を区別せずに、すなわち非接触型ＩＣカード通信部３０が無線通信を行う対象にかかわらず、何れかの処理を行うようにしてもよい。また、さらに異なる条件で処理を区別して行うようにしてもよい。異なる条件とは、たとえば、通信エラーの有無である。また、たとえば、同じ振動動作は１回でもよいし、振動動作複数回の間欠動作であってもよい。逆に、ＩＣカードリーダ／ライタとの通信時には振動動作複数回の間欠動作とし、他の端末装置との通信時には振動動作１回としてもよい。
【００５１】
図６のＳ５１では、ＩＣカード振動報知制御部４４が振動報知部２２に対して、振動動作の開始を指示し、振動報知部２２が振動を開始する。そして、ＩＣカード振動報知制御部４４は所定のＶＴＭ１時間の経過を監視し（図６のＳ５３）、ＶＴＭ１経過後に（図６のＳ５３のＹｅｓ）、振動報知部２２に振動の停止を指示し、振動報知部２２が振動を停止する（図６のＳ５５）。
【００５２】
このように、図６のＳ５１〜Ｓ５５の処理では、ＩＣカード振動報知のための振動動作が１回のみ、図７のライン７０に示すように、ＶＴＭ１の時間の間のみ行われる。
【００５３】
また、図６のＳ５７では、ＩＣカード振動報知制御部４４が振動報知部２２に対して、振動動作の開始を指示し、振動報知部２２が振動を開始する。そして、ＩＣカード振動報知制御部４４は所定のＶＴＭ１時間の経過を監視し（図６のＳ５９）、ＶＴＭ１経過後に（図６のＳ５９のＹｅｓ）、振動報知部２２に振動の停止を指示し、振動報知部２２が振動を停止する（図６のＳ６１）。
【００５４】
さらに、ＩＣカード振動報知制御部４４は所定のＶＩＴＭ１時間の経過を監視し（図６のＳ６３）、ＶＩＴＭ１経過後（図６のＳ６３のＹｅｓ）、振動報知部２２に振動動作の開始を指示し、振動報知部２２が振動を開始する（図６のＳ６５）。そして、ＩＣカード振動報知制御部４４は、所定のＶＴＭ２時間の経過を監視し（図６のＳ６７）、ＶＴＭ２経過後に（図６のＳ６７のＹｅｓ）、振動報知部２２に振動の停止を指示し、振動報知部２２が振動を停止する（図６のＳ６９）。
【００５５】
このように、図６のＳ５７〜Ｓ６９の処理では、図７のライン７２に示すように、ＩＣカード振動報知のための振動動作が２回行われる。ここでは、振動報知部２２による振動動作は、ＩＣカード利用通信の開始時のタイミングのみで行い、ＩＣカード利用通信中全体（ＣＴ）にわたっての振動動作の繰り返しは行わないものとする。また、ＩＣカード利用通信の終了時、通信エラー時などのタイミングで、通信結果を通知するために、抑制された振動動作を行ってもよい。
【００５６】
このように、本実施形態の振動制御方法によれば、ＩＣカードリーダ／ライタ上で携帯電話機１０を安定させることが可能であり、ＩＣカードリーダ／ライタと携帯電話機１０の非接触型ＩＣカード通信部３０との無線通信の通信状態を良好に保つことが可能となる。これは、ＩＣカード振動報知制御部４４により振動報知部２２を制御して、ＩＣカード通信時に、所定時間での振動動作により報知することにより、携帯電話機１０への振動による影響を抑制できるためであり、図８（ａ）のように、携帯電話機８０ａが、平面に置かれたＩＣカードリーダ／ライタ８１上から通信可能範囲から外れたり、図８（ｂ）のように、携帯電話機８０ｂが、斜めに置かれたＩＣカードリーダ／ライタ８３から落下したりする恐れを回避もしくは軽減できるためである。
【００５７】
また、発光報知の制御を行うＩＣカード発光報知制御部４２は、図７のライン７４に示すように、ＩＣカード振動報知制御部４４の振動制御と同期して発光制御を行う。なお、発光報知部２０の発光動作は携帯電話機１０へ振動などを与える動作ではないため、本発明の振動制御例のように抑制制御を行う必要はなく、たとえば、図７のライン７４のように所定時間内（ＬＴＩ１）の発光動作とすることができる。あるいは、ＩＣカード動作状態に応じて変化のある発光制御にてユーザへ動作状態を通知することも可能である。振動報知部２２は振動時間を制約しているため発光報知部２０は振動報知部２２より長く動作させユーザへ動作状態の認識効果を高める発光動作とするほうがよい。
【００５８】
また、たとえば、ＩＣカード利用通信中は、発光報知部２０はＬＥＤを常時点灯したり、点滅パターンで点滅させたりしてもよい。ＩＣカード利用通信の通信結果に応じたパターンで発光動作させることもできる。また、これらの発光報知部２０または振動報知部２２による報知動作はそれぞれ、ユーザにより操作部１２により任意に有効／無効化を選択可能とする。
【００５９】
以上説明したように、本発明の実施の形態の携帯電話機１０によれば、非接触型ＩＣカード通信時に、振動を抑制する制御を行うことで、たとえば、ＩＣカードリーダ／ライタ上に携帯電話機を放置して通信を行わせても、振動によって携帯電話機が移動して通信可能範囲から外れたり、ＩＣカードリーダ／ライタ上から落下したりすることを防ぎ、これにより、非接触型ＩＣカード通信時の通信障害を軽減し、携帯端末装置の誤動作を防ぐことができる。すなわち携帯端末装置の信頼性が向上する。
【００６０】
また、ユーザが振動を認識可能な程度に振動時間を短縮させることができるので、振動動作による消費電力を低減することができる。さらに、振動報知に連動させて発光にて動作状態を報知することができ、本発明の振動動作の時間より長い発光時間を設定することで、ユーザが状態認識し損なうのを防止することができる。
【００６１】
以上、図面を参照して本発明の実施形態について述べたが、これらは本発明の例示であり、上記以外の様々な構成を採用することもできる。
【００６２】
たとえば、上記実施形態では、振動による影響のある振動報知部２２の制御方法として、振動時間を所定時間に制約する方法を用いたが、携帯電話機でよく使用される着信時の振動の駆動力より小さい駆動力に抑えてＩＣカード利用時の報知振動制御を行うこともできる。小さい駆動力により振動を抑制することにより、振動時間の制約と組み合わせて間欠動作の回数も増やすことができ広い状態通知効果も可能となる。
【００６３】
また、他の実施形態において、ＩＣカードリーダ／ライタとのＩＣカード利用通信を検出する手段を設け、ＩＣカード振動報知制御部４４は、ＩＣカードリーダ／ライタとの通信時にのみ、振動抑制制御、たとえば間欠動作制御を行うようにしてもよい。これにより、ＩＣカードリーダ／ライタ上で携帯電話機１０を安定させることができ、ＩＣカードリーダ／ライタと携帯電話機１０の非接触型ＩＣカード通信部３０との無線通信の通信状態を良好に保つことが可能となる。
【００６４】
以上、実施形態および実施例を参照して本願発明を説明したが、本願発明は上記実施形態および実施例に限定されるものではない。本願発明の構成や詳細には、本願発明のスコープ内で当業者が理解し得る様々な変更をすることができる。
【符号の説明】
【００６５】
１０    携帯電話機
１２    操作部
１４    表示部
１６    記憶部
１８    音声入出力部
２０    発光報知部
２２    振動報知部
３０    非接触型ＩＣカード通信部
３２、５２    無線装置
３４、５４    アンテナ
４０    端末制御部
４２    ＩＣカード発光報知制御部
４４    ＩＣカード振動報知制御部
５０    移動通信制御部
【図１】
0005921633.tif 000002
【図２】
0005921633.tif 000003
【図３】
0005921633.tif 000004
【図４】
0005921633.tif 000005
【図５】
0005921633.tif 000006
【図６】
0005921633.tif 000007
【図７】
0005921633.tif 000008
【図８】
0005921633.tif 000009